(57)【要約】【課題】小さい力で素早く使用状態にセットすることができる避難器具を提供する。【解決手段】回転軸８の回りに、コイルスプリング１４，１４を設けている。これらコイルスプリング１４，１４のバネ力を支持部材２に作用させている。このコイルスプリング１４，１４をたわませて、収納部材３内に支持部材２と避難袋１とを収納するようにしている。また、この収納状態を、ロック機構１７によって保持するようにしている。そして、レバー２１を引いたときに、このロック機構１７が解除されるようにしている。【選択図】  図５
2004159856.tif 000002
【特許請求の範囲】
【請求項１】
折り畳み自在にした避難袋やはしごなどの避難器具と、この避難器具の一方を接続した支持部材と、支持部材と縮めた状態の避難器具とを収納する収納部材とを備え、上記支持部材を収納部材に回動自在に連結するとともに、この支持部材を収納部材に収納した収納状態から回動させると、支持部材の一部が窓などを介して建物の外側に出て、この支持部材から避難器具が地上に向かって伸びる避難装置であって、上記支持部材を収納状態に保つロック機構と、建物の外側に回動させる方向の付勢力を支持部材に付与する弾性部材と、回動した支持部材を所定の位置で保持する位置決め部材とを備え、上記支持部材は、ロック機構のロック機能を解除すると、弾性部材の付勢力によって収納状態から回動し、その回動位置が位置決め部材によって保持された状態で、支持部材から避難器具が地上に向かって伸びる構成にしたことを特徴とする避難装置。
【請求項２】
ロック機構は、レバーと、このレバーに接続するとともに、レバーの移動に伴って移動する掛け金とを備え、この掛け金を支持部材にひっかけた状態で、収納部材に収納した支持部材の回動が規制される構成にしたことを特徴とする請求項１記載の避難装置。
【請求項３】
支持部材の回動速度を減速するダンパ機構を備えたことを特徴とする請求項１または２記載の避難装置。
【発明の詳細な説明】
【０００１】
【発明の属する技術分野】
この発明は、ビルなどの高層建築物の高層階の窓から避難するときに用いる避難装置に関する。
【０００２】
【従来の技術】
ビルなどの高層建築物の高層階の窓から避難するときに用いる避難装置として、窓から地上に降ろした筒状の避難袋の中を滑り降りるタイプのものが従来から知られている。
この従来の避難装置は、避難袋と、この避難袋を窓枠に取り付けるための取付部材と、これら避難袋及び取付部材を収納する収納箱からなり、通常、避難袋は折り畳まれた状態で取付部材とともに収納箱に収納されている。なお、この収納箱は、窓枠の下方に設置されている。
【０００３】
上記避難装置を使用する場合、まず、収納箱から取付部材と避難袋を取り出す。次に、これら取付部材及び避難袋を持ち上げて窓の外側に出す。このとき、この取付部材から折り畳まれていた避難袋がその自重によって地上に伸びるようにしている。
なお、支持部材から吊り下げられている避難袋は、その一方が窓側に開口し、その他端が地上側に開口する。
以上のようにして避難装置を使用状態にセットしたら、避難袋の中を滑り降りることで、高層階の窓から地上に避難できるようにしている。
【０００４】
なお、上記避難袋は、取付部材からほぼ真下に吊り下げられるため、そのままではほぼ垂直に滑り降りることになり、避難する人が地面に激突するおそれがある。そこで、この避難袋の内側には抵抗体を設けている。この抵抗体は、滑り降りる人に接触し、その滑り降りる速度を緩和する。したがって、避難する人が地面へ激突することはない。
【０００５】
ところで、上記のような抵抗体を備えた避難袋には、非常に大きな負荷が作用するため、ある程度の強度を必要とする。そこで、この避難袋は、厚くて丈夫な生地でできている。
また、上記のように厚い生地で、しかも抵抗体を備えた避難袋というのは、その自重が重く、この避難袋の中を人が滑り降りる最中には、取付部材に大きな負荷が作用する。したがって、この取付部材というのは、十分な強度を備えた鋼鉄製にしている。
【０００６】
【特許文献１】
実公平３−３４１９４号公報
【０００７】
【発明が解決しようとする課題】
上記従来の避難装置は、使用状態にセットする際、避難する人が支持部材と避難袋を持ち上げる必要があった。
しかし、上記支持部材は鋼鉄製なので非常に重く、しかも生地の厚い避難袋も重たい。
【０００８】
そのため、これら支持部材と避難袋とを同時に持ち上げるためには、非常に大きな力を必要とし、避難装置を使用状態にセットするまでに時間がかかることがあった。そして、使用状態にセットするまでに時間がかかると、避難が遅れるという問題があった。
また、上記のように支持部材と避難袋とが非常に重いので、力の弱い人は、避難装置を使用状態にセットすることすらできないという不都合もあった。
【０００９】
この発明の目的は、小さい力で素早く使用状態にセットすることができる避難器具を提供することである。
【００１０】
【課題を解決するための手段】
第１の発明は、以下の点に特徴を有するものである。
折り畳み自在にした避難袋やはしごなどの避難器具と、この避難器具の一方を接続した支持部材と、支持部材と縮めた状態の避難器具とを収納する収納部材とを備え、上記支持部材を収納部材に回動自在に連結するとともに、この支持部材を収納部材に収納した収納状態から回動させると、支持部材の一部が窓などを介して建物の外側に出て、この支持部材から避難器具が地上に向かって伸びる避難装置である。そして、上記支持部材を収納状態に保つロック機構と、建物の外側に回動させる方向の付勢力を支持部材に付与する弾性部材と、回動した支持部材を所定の位置で保持する位置決め部材とを備え、上記支持部材は、ロック機構のロック機能を解除すると、弾性部材の付勢力によって収納状態から回動し、その回動位置が位置決め部材によって保持された状態で、支持部材から避難器具が地上に向かって伸びる構成にした。
【００１１】
第２の発明のロック機構は、レバーと、このレバーに接続するとともに、レバーの移動に伴って移動する掛け金とを備え、この掛け金を支持部材にひっかけた状態で、収納部材に収納した支持部材の回動が規制される構成にしたことを特徴とする。
第３の発明は、支持部材の回動速度を減速するダンパ機構を備えたことを特徴とする。
【００１２】
【発明の実施の形態】
図１に示したように、この第１実施形態の避難装置は、避難器具である避難袋１と、この避難袋１を支持する支持部材２と、これら避難袋１と支持部材２とを収納する収納部材３とを備えている。
【００１３】
上記収納部材３は、４本の支柱４ａ〜４ｄをその下部において接続するとともに、第１支柱４ａの上部と第２支柱４ｂの上部とを連結ロッド５ａを介して連結し、第３支柱４ｃの上部と第４支柱４ｄの上部とを連結ロッド５ｂを介して連結している。
また、上記第２支柱４ｂと第３支柱４ｃとの間には、２本の横棒６，６を架け渡し、これら横棒６，６の上面にステップ７，７を設けている。これらステップ７，７は、図示していない蝶番を介して横棒６，６に連係されていて、図示する水平の状態から垂直に起立させることができるようにしている。
【００１４】
上記第２支柱４ｂと第３支柱４ｃとの間には、これら第２支柱４ｂ及び第３支柱４ｃの上部に回転自在に支持された回転軸８を架け渡している。この回転軸８には、上記支持部材２の一端９，９を接続している。そして、回転軸８を中心に、支持部材２が回動するようにしている。
また、回転軸８の両端を、第２支柱４ｂおよび第３支柱４ｃの外側に突出させている。そして、この突出させた回転軸８の両端に、アーム部材１０，１０をそれぞれ固定している。
これらアーム部材１０，１０は、支持部材２が回動すると、回転軸８と一体的に回動する。
【００１５】
また、上記支持部材２は、図２に示すように、一端を軸８に接続した枠部１１と、この枠部１１に垂直方向に取り付けたガイド部１２とからなり、枠部１１に筒状の避難袋１の一端１ａを取り付けることによって、避難袋１の入口を形成するようにしている。また、この避難袋１の内周を、ガイド部１２に設けた支持枠２２によって支持することで、避難袋１内に空間を保持するようにしている。
上記ガイド部１２は、第１ガイド部１２ａと第２ガイド部１２ｂとからなり、第２ガイド部１２ｂによって避難袋１の内側をガイドすることで、図３に示すように開口部２３が形成される。
さらに、上記第１ガイド部材１２ａ，１２ａには、複数の支持棒２４を架け渡し、これら支持棒２４の上にクッション１３を敷いている。そして、このクッション１３の上で、避難する人が滑り降りる前に体勢を整えることができるようにしている。
なお、上記避難袋１の内側には、滑り降りる人の速度を減速するための抵抗体を設けている。
【００１６】
上記ガイド部１２，１２には、図３に示すように、その間にロッド２５を掛け渡している。また、第１ガイド部１２ａと第２ガイド部１２ｂとをロッド２５の連結部２５ａを介して回動自在に連結している。
これら第１、第２ガイド部１２ａ、１２ｂは、図示しないストッパによって、図２のような水平の状態を維持するようにしているが、第２ガイド部材１２ｂを枠部１１側に回動させることで、ガイド部１２を連結部２５ａを中心に二つ折りにできるようにしている。
【００１７】
また図１に示したように、上記回転軸８の回りには、コイルスプリング１４，１４をそれぞれ設けている。これらコイルスプリング１４は、この発明の弾性部材に相当するものであり、一端を第２支柱４ｂおよび第３支柱４ｃにそれぞれ固定し、他端を枠部１１にそれぞれ固定している。そして、これらコイルスプリング１４，１４のバネ力を支持部材２に作用させる。
【００１８】
一方、上記支持部材２の枠部１１には、ロープ１５，１５の一端１５ａ，１５ａを連結し、これらロープ１５，１５の他端１５ｂ，１５ｂを第１支柱４ａおよび第４支柱４ｄに連結している。このロープ１５，１５は、この発明の位置決め部材に相当するものであり、これらロープ１５，１５が張った状態で、支持部材２の位置を図１に示す状態に保持するようにしている。
【００１９】
図４（ａ）は、図１の模式図であって、支持部材２の位置がロープ１５，１５によって保持された状態である。この状態から、図４（ｃ）に示すように、コイルスプリング１４，１４のばね力に抗して支持部材２を左方向に回動させることができ、１８０度回動させると、図４（ｄ）に示すように、支持部材２を収納部材３に収納できるようにしている。
【００２０】
図５は、図４（ｄ）の収納状態を具体的に示した図である。図示するように、ガイド部材１２を、ロッド２５の連結部２５ａを中心に二つ折りにすることで、支持部材２をコンパクトに収納部材３に収納できるようにしている。
また、このように収納状態にあるとき、折り畳んだ避難袋１を、第１ガイド部材１２ａの上部に載せている。そして、この折り畳んだ避難袋１を、図示しない安全帯によって支持部材２に固定している。
【００２１】
上記のように支持部材２を収納部材に収納すると、コイルスプリング１４，１４がたわむため、このコイルスプリング１４，１４の弾性力が強くなる。このようにコイルスプリング１４，１４の弾性力を強くした状態で、収納部材３内に支持部材２と避難袋１とを収納するようにしている。
また、この収納状態を、ロック機構１７によって保持するようにしている。すなわち、このロック機構１７は、図６に示すように、後退可能な掛け金１８と、この掛け金１８に連係させた接続部材１９と、この接続部材１９に接続した紐部材２０と、紐部材２０に接続したレバー２１とからなり、上記掛け金１８の一方の面１８ａだけを傾斜させている。
【００２２】
上記掛け金１８は、図示するように突出している。そして、この掛け金１８の他方の面１８ｂをアーム部材１０に引っかけることで、このアーム部材１０の回動を規制している。そして、このアーム部材１０の回動を規制することによって、アーム部材１０を固定した回転軸８の回転も規制される。したがって、この回転軸８に接続した支持部材２の回動も規制される。つまり、アーム部材１０の回動を規制することで、支持部材２の右方向の回動を規制するようにしている。
【００２３】
上記収納状態において、レバー２１を引っ張ると、このレバー２１に紐部材２０を介して接続した接続部材１９が下方に移動して、この接続部材１９に連係した掛け金１８が後退する。このように掛け金１８が後退すると、アーム部材１０の回動が許容されるため、コイルスプリング１４のばね力によって支持部材２が右方向に回動する。
【００２４】
一方、上記第２支柱４ｂおよび第３支柱４ｃの外側には、支持部材２の回動速度を減速する一対のダンパ機構１６を備えている。これらダンパ機構１６は、そのシリンダの基端部１６ａを上記第２支柱４ｂおよび第３支柱４ｃに連結し、そのロッドの先端１６ｂをアーム部材１０に連結している。
このようにしたダンパ機構１６は、アーム部材１０の回動に応じて伸縮し、このアーム部材１０の回動速度を減速する。このようにアーム部材１０の回動速度を減速することによって、回転軸８の回転速度を減速し、この回転軸８に固定した支持部材２の回動速度を減速する。
【００２５】
このようにダンパ機構１６によって支持部材２の回動速度をある程度抑えるようにしたのは、支持部材２が回動するときの事故等を防止するためである。すなわち、ダンパ機構１６がないと、支持部材２が勢いよく回動するため、この支持部材２にぶつかった場合には、大怪我をする可能性がある。しかし、上記ダンパ機構１６によって支持部材２の回動速度を減速すれば、たとえ支持部材２にぶつかったとしも、大怪我につながることがなく、また、支持部材２の回動速度が遅ければ、それをよけることもできる。このような理由から、ダンパ機構１６を設けている。
【００２６】
なお、上記のようにした避難装置は、窓枠の下方に設置する。その際、収納部材３の第２支柱４ｂおよび第３支柱４ｃを窓枠側にして、回転軸８を窓枠のすぐ下方に位置させる。
【００２７】
次に、上記の第１実施形態の装置を、図４（ｄ）及び図５に示す収納状態から使用状態にセットする場合の作業ついて説明する。上記使用状態にセットする場合には、この装置は、図４（ｄ）→図４（ｃ）→図４（ｂ）→図４（ａ）の順に動く。
まず、図５の図示していない安全帯をほどいて、折り畳んである避難袋１の一部１ｂを窓から建物の外側に引っ張り出す。このとき、避難袋１を完全に窓の外側に出す必要はなく、その一部１ｂを窓の外に出すだけでよい。避難袋１は支持部材２の上部に載せてあるだけなので、ちょっと引っぱり出すだけでよく、持ち上げる場合に比べて小さい力で避難袋１を窓から建物の外側に出すことができる。建物の外に避難袋１の一部１ｂを出すと、その部分が自重によって窓の下方に伸びる。
【００２８】
避難袋１の一部を窓を介して建物の外に出したら、レバー２１を引く。レバー２１を引くと、紐部材２０が引っ張られることで、接続部材１９が下方に移動し、それによって掛け金１８が引っ込む。掛け金１８が引っ込めば、アーム部材１０のロックが解除されるので、コイルスプリング１４，１４のバネ力によってアーム部材１０とともに支持部材２が回動し始める。すなわち図４（ｄ）の状態から図４（ｃ）の状態に移動する。そして、第１ガイド部材１２ａの上に載せてあった避難袋１が窓から建物の外に放り出される。このようにして窓からた放り出された避難袋１は、自重によって下方に伸びる。
【００２９】
そして、支持部材２がほぼ１８０°回動すると、図４（ｂ）に示すように、ロープ１５，１５が張られることによって、支持部材２の回動が規制される。このように支持部材２の回動が規制されると、折り畳まれていた第２ガイド部１２ｂが、その慣性力によってロッド２５を支点に回動し、図４（ａ）に示す水平な状態になる。ガイド部１２が水平になると、第２ガイド部１２ｂの部分に開口部２３（図３参照）が形成される。
以上のようにすれば、避難装置を使用状態にセットすることができ、避難袋１を滑り降りることが可能な使用状態となる。
【００３０】
この第１実施形態によれば、窓から避難しようとした場合に、レバー２１を引くだけで、避難装置を使用状態にセットすることができる。
したがって、避難する人がわざわざ避難袋１や支持部材２を持ち上げる必要がなく、力の弱い人でも簡単に使用状態にセットすることができる。しかも、レバー２１を引くと、自動的に避難装置が使用状態にセットされるので、素早い避難が可能となる。
【００３１】
また、この第１実施形態によれば、収納部材２にステップ７，７を設けているので、これらステップ７，７を利用して、避難する人が避難袋１の入口までのぼることができる。したがって、身長の低い人でも、避難袋１の入口に簡単に入ることができる。
なお、上記ステップ７，７は、支持部材２を収納する場合に、上方に回動させれば、収納の邪魔になることもない。
【００３２】
次に上記避難器具の第２実施形態について説明する。
この第２実施形態では、第１実施形態のダンパ機構１６のシリンダおよびロッドをエアスプリングとして用いることを特徴とする。すなわち、第１実施形態では、ダンパ機構１６が収縮する方向に力を作用させ、支持部材２の回転速度を減速させる。これに対して、エアスプリングとして用いるこの第２実施形態の場合には、上記シリンダとロッドが伸張する方向に力が作用するようにしている。このようにシリンダとロッドが伸張する方向に力を作用させることによって、支持部材２を図５の右方向に回動させることができるようにしている。
【００３３】
また、第１実施形態と同様に回転軸８にコイルスプリング１４を備えている。ただし、この第２実施形態のコイルスプリングは、第１実施形態のコイルスプリングに比べて、そのバネ力を弱いものにすることができる。なぜなら、上記エアスプリングで支持部材２を回動させることができるからである。
このときのコイルスプリング１４の役割は、上記エアスプリングによる回動力を補助するとともに、支持部材２の回動初期の移動方向を特定することである。
【００３４】
すなわち、上記エアスプリングのシリンダは上下方向に伸縮するが、この伸縮は直線的なものである。したがって、シリンダが伸張しても、このシリンダに接続したアーム部材１０が回動しなかったり、このアーム部材１０の移動が途中で止まったりすることがある。さらに、アーム部材１０は回動するが、その回動がスムーズにいかないということもある。そこで、回転軸８にコイルスプリング１４を備え、このコイルスプリング１４で回転軸８に回動方向の力を作用させるとともに、この回転軸８に連結したアーム部材１０に回動方向の力を作用させるようにしている。
アーム部材１０に回動方向の力が作用することによって、このアーム部材１０にエアスプリングの伸張方向の力が作用したときに、このアーム部材１０がスムーズに回動するようになる。
【００３５】
この第２実施形態の他の構成については、第１実施形態と同様である。すなわち、レバー２１を引けば、ロック機構１７が解除される。そして、支持部材２が上記エアスプリングとコイルスプリング１４とによって回動する。したがって、上記レバー２１を引くだけで、避難装置を使用状態にセットすることができ、力の弱い人でも簡単に使用状態にセットすることができる。また、レバー２１を引くと、自動的に避難装置が使用状態にセットされるので、素早い避難が可能となる等の他の効果も第１実施形態と同様である。
なお、第１および第２実施形態では、この発明の避難器具として避難袋を用いているが、折り畳み可能なはしごを避難器具として用いてもよい。
【００３６】
【発明の効果】
第１の発明によれば、ロック機構を解除すると、弾性部材の付勢力によって支持部材が避難位置に自動的にセットされるようにしたので、力の弱い人でも素早く簡単に避難装置をセットすることができる。
【００３７】
第２の発明によれば、レバーを引けば、支持部材を回動させることができるので、より簡単に素早く避難器具を使用状態にセットすることができる。
【００３８】
第３の発明によれば、支持部材の回動速度を制御するダンパ機構を設けたので、支持部材が勢いよく回動することがない。したがって、勢いよく回動する支持部材にぶつかって怪我をするという不都合を防止することができる。
【図面の簡単な説明】
【図１】支持部材が避難状態にセットされた状態を示した斜視図である。
【図２】ガイド部１２の側面図である。
【図３】ガイド部１２の平面図である。
【図４】（ａ）使用状態を示す概略図である。
（ｂ）収納状態から使用状態への途中の状態を示す概略図である。
（ｃ）収納状態から使用状態への途中の状態を示す概略図である。
（ｄ）収納状態を示す概略図である。
【図５】支持部材が収納位置に固定された状態を示した斜視図である。
【図６】固定機構の拡大図である。
【符号の説明】
１    避難袋
２    支持部材
３    収納部材
１４    コイルスプリング
１５    ロープ
１６    ダンパ機構
１７    ロック機構
１８    掛け金
２１    レバー
【図１】
2004159856.tif 000003
【図２】
2004159856.tif 000004
【図３】
2004159856.tif 000005
【図４】
2004159856.tif 000006
【図５】
2004159856.tif 000007
【図６】
2004159856.tif 000008